(57)【要約】【課題】オープンシールド工法の施工時（函体据付時）に函体と函体のずれ防止を行うことができるサポートを提供する。【解決手段】先端に支圧板２６を軸着し、根本部をネジ挿入部２８としたサポート支柱２５と、上下左右にネジ嵌合筒体２９を突設したサポート連結部３０と、および両端をネジ挿入部とした連結用支柱３１との組み合わせからなり、サポート連結部３０の４つを連結用支柱３１で4角に枠組むとともに、サポート連結部３０の残りのネジ嵌合筒体２９にサポート支柱２５を嵌合して支圧板２６を函体４の接合部に内側から当接する。【選択図】図１
2019108676.tif 000002
【特許請求の範囲】
【請求項１】
全体が同一平面上になるもので、先端に支圧板を軸着し、根本部をネジ挿入部としたサポート支柱と、上下左右にネジ嵌合筒体を突設したサポート連結部との組み合わせからなり、サポート連結部のネジ嵌合筒体にサポート支柱を嵌合して支圧板を函体接合部に内側から当接することを特徴とする敷設函体接続用サポート。
【請求項２】
全体が同一平面上になるもので、先端に支圧板を軸着し、根本部をネジ挿入部としたサポート支柱と、上下左右にネジ嵌合筒体を突設したサポート連結部と、および両端をネジ挿入部とした連結用支柱との組み合わせからなり、サポート連結部の４つを連結用支柱で４角に枠組むとともに、サポート連結部の残りのネジ嵌合筒体にサポート支柱を嵌合して支圧板を函体接合部に内側から当接することを特徴とする敷設函体接続用サポート。
【請求項３】
函体接合部目地部のライン上で、函体内側の側部・上部・底部を同一に支承する請求項１または請求項２記載の敷設函体接続用サポート。
【請求項４】
函体接合部目地部のライン上で、函体内側のハンチ部を同一に支承する請求項１または請求項２記載の敷設函体接続用サポート。
【請求項５】
函体は、左右側壁板の内側に推進ジャッキを配設し、前面、後面及び上面を開口したオープンシールド機の前面又は上面開口より前方の土砂を掘削排土する工程と、推進ジャッキを伸長して左右側板と上床板と下床板とからなるコンクリート函体を反力にしてシールド機を前進させる工程と、シールド機のテール部内で縮めた推進ジャッキの後方に新たなコンクリート函体を上方から吊り降して既設コンクリート函体に接合する据え付け工程とを適宜繰り返して順次コンクリート函体を縦列に埋設するオープンシールド工法に使用するものである請求項１ないし請求項４のいずれかに記載の敷設函体接続用サポート。
【発明の詳細な説明】
【技術分野】
【０００１】
本発明は、市街地に上下水道、地下道等の地下構造物を施工するのに用いるコンクリート函体の接合部のめじずれ防止を行う敷設函体接続用サポートに関する。
【背景技術】
【０００２】
コンクリート函体（ボックスカルバート）は、地中に埋設される箱型の構造物で、道路、水路、通信線等の収容など各種の用途に使用される。
【０００３】
従来では、地上から掘削して形成した設置部へ、地上からコンクリート函体（ボックスカルバート）を一個ずつ設置する、所謂、開削工法に採用されるものが一般的であるが、推進工法やオープンシールド工法でも使用される。
【０００４】
かかるコンクリート函体の一例を図８に示すと、コンクリート函体４は鉄筋コンクリート製またはＰＣコンクリート製のもので、左側板４ａ、右側板４ｂと上床板４ｃと下床板４ｄとからなるもので、前後面が開口として開放されている。
【０００５】
さらに、コンクリート函体４は相互に接合する場合のインサート（シース孔・ボルト挿入孔）１２を設けている。
【０００６】
このインサート（ボルト挿入孔）１２から先はシース孔（図示せず）として形成され、その先に定着部が形成されるための箱抜き穴がある。
【０００７】
このようなコンクリート函体４を可撓性連結構造とするには、各コンクリート函体４の連結を可撓性の継手金具等で行っているので、推進工法による押し出す等の作業を行う時に、その可撓性とした連結部で各コンクリート函体４への推進力の伝達が阻害されることがあると共に、その可撓性とした連結部で捩れや鉛直および水平方向という変位が生じてしまうと考えられる。
【０００８】
そのため、前述した従来の可撓性連結構造を採用した各コンクリート函体４では、その各連結部で推進力の伝達が確実に行えないと共に、その列が変形し蛇行してしまう等のことから確実な推進が行えないので、その設置に際して推進工法等の採用が難しいものであった。
【０００９】
下記特許文献は、蛇行防止用金具６６を両内面に架け渡して架設することにより、推進施工時において、各コンクリート函体４間の可撓性とした連結部に生じる捩れや鉛直および水平方向という変位を防げるようにしている。
【特許文献１】特開平９−１７０２５７号公報
【００１０】
蛇行防止用金具６６は、図９、図１０に示すように、両コンクリート函体４の内面４eにそれぞれ取付けられている固定板６６ａと、この両固定板６６ａを連結している連結板６６ｂとからなっている。
【００１１】
なお、固定板６６ａは、図９に示すように、連結板６６ｂを中心として、略Ｘ字状に計四本配置されている。なお、この蛇行防止用金具６６は、推進施工の完了後に撤去することとなる。
【発明の概要】
【発明が解決しようとする課題】
【００１２】
前記特許文献１の蛇行防止用金具６６では、コンクリート函体４の内面４eの左右の固定しか行えず、コンクリート函体４相互の前後、左右の４方向のずれには有効な固定とは言えない。
【００１３】
さらに、板体による固定なので、これらをボルト等で取付けるとしても板体自体に曲りが生じたり、コンクリート函体４にクラックが発生するおそれがある。
【００１４】
なお、図１１に示すようなサポート１６と当て板を用いて固定する方法も考えられなくないが、コンクリート函体４の内面４ｅの上下左右の４方向の固定を行うにはサポート１６は複数本を十字に交差するように前後に組み合わせることになり、支圧の芯が異なってしまい、コンクリート函体４相互に接合部を均一に固定することは難しい。
【００１５】
前記サポート１６は、下端に台板１８を有する下柱１７と、上端に受板２０を有する上柱１９とからなり、下柱１７に差し込まれる上柱１９の下側ネジ部にめねじ２１が嵌り、このめねじ２１で上柱１９の下柱１７に差し込まれる長さを調整して全体を突っ張り棒とするとともに止ボルト２２にピン２３を差し込んで固定する。
【００１６】
本発明の目的は前記従来例の不都合を解消し、函体据付時には函体と函体のずれを簡単かつ迅速に、しかも確実に防止できる敷設函体接続用サポートを提供することにある。
【課題を解決するための手段】
【００１７】
前記目的を達成するため請求項１記載の本発明は、全体が同一平面上になるもので、先端に支圧板を軸着し、根本部をネジ挿入部としたサポート支柱と、上下左右にネジ嵌合筒体を突設したサポート連結部との組み合わせからなり、サポート連結部のネジ嵌合筒体にサポート支柱を嵌合して支圧板を函体接合部に内側から当接することを要旨とするものである。
【００１８】
請求項１記載の本発明によれば、支圧板を函体接合部に内側から当接することで函体と函体のずれを防止できる。
【００１９】
そして、支圧板はコンクリート函体の内面の上下左右の４方向に、かつ、面一に配置されているので、函体接合部を周方向に均一に抑えることができる。
【００２０】
請求項２記載の本発明は、全体が同一平面上になるもので、先端に支圧板を軸着し、根本部をネジ挿入部としたサポート支柱と、上下左右にネジ嵌合筒体を突設したサポート連結部と、および両端をネジ挿入部とした連結用支柱との組み合わせからなり、サポート連結部の４つを連結用支柱で４角に枠組むとともに、サポート連結部の残りのネジ嵌合筒体にサポート支柱を嵌合して支圧板を函体接合部に内側から当接することを要旨とするものである。
【００２１】
請求項２記載の本発明によれば、前記請求項１の作用に加えて、中心部は４角に枠組まれた堅牢な構造で、この枠組からサポート支柱が外側に同じ面一で突出し、このサポート支柱のネジ嵌合を調整することで支圧板が函体接合部の内側に押圧する。
【００２２】
請求項３記載の本発明は、函体接合部目地部のライン上で、函体内側の側部・上部・底部を同一に支承することを要旨とするものである。
【００２３】
請求項３記載の本発明によれば、函体内側の側部・上部・底部を同一に支承することで函体と函体のずれを確実に防止できる。
【００２４】
請求項４記載の本発明は、函体接合部目地部のライン上で、函体内側のハンチ部を同一に支承することを要旨とするものでる。
【００２５】
請求項４記載の本発明によれば、函体内側のハンチ部を利用して、これを同一に支承することで函体と函体のずれを確実に防止できる。
【００２６】
請求項５記載の本発明は、函体は、左右側壁板の内側に推進ジャッキを配設し、前面、後面及び上面を開口したオープンシールド機の前面又は上面開口より前方の土砂を掘削排土する工程と、推進ジャッキを伸長して左右側板と上床板と下床板とからなるコンクリート函体を反力にしてシールド機を前進させる工程と、シールド機のテール部内で縮めた推進ジャッキの後方に新たなコンクリート函体を上方から吊り降して既設コンクリート函体に接合する据え付け工程とを適宜繰り返して順次コンクリート函体を縦列に埋設するオープンシールド工法に使用するものであることを要旨とするものである。
【００２７】
請求項５記載の本発明によれば、オープンシールド工法では順次コンクリート函体を縦列に埋設するが、推進工法のように函体が前進するわけでなく、オープンシールド機のジャッキ推力を受けて函体が上下左右の接続のずれは生じようとしてもサポートの支圧板の固定で十分それを防ぐことができる。
【００２８】
特許文献１のように固定板をもって、函体同士を前後に固定する必要はない。
【発明の効果】
【００２９】
以上述べたように敷設函体接続用サポートは、函体据付時には函体と函体のずれを簡単かつ迅速に、しかも確実に防止できるものである。
【図面の簡単な説明】
【００３０】
【図１】本発明の敷設函体接続用サポートの第１実施形態を示す正面図である。
【図２】図１のＡ部の詳細を示す正面図である。
【図３】サポート連結部の拡大正面図である。
【図４】本発明の敷設函体接続用サポートの第２実施形態を示す正面図である。
【図５】本発明の敷設函体接続用サポートの第３実施形態を示す正面図である。
【図６】オープンシールド工法の函体据付時の説明図である。
【図７】オープンシールド工法の函体接続時の説明図である。
【図８】コンクリート函体の斜視図である。
【図９】従来例を示す側面図である。
【図１０】従来例を示す正面図である。
【図１１】サポートの一般例を示す正面図である。
【発明を実施するための形態】
【００３１】
以下、図面について本発明の実施の形態を詳細に説明する。図１は本発明の敷設函体接続用サポートの第１実施形態を示す正面図で、図中４はコンクリート函体で、これは図６に示すように、左側板４ａ、右側板４ｂと上床板４ｃと下床板４ｄとからなるもので、前後面が開口として開放されている。
【００３２】
本発明は接続するコンクリート函体４同士を固定するものとして、サポート３４を使用する。
【００３３】
サポート３４は、サポート支柱２５と、このサポート支柱２５を接続するサポート連結部３０と、サポート連結部３０同士を連結する連結用支柱３１からなる。
【００３４】
サポート支柱２５は、先端に支圧板２６を球体ヒンジ２７で軸着し、根本部をネジ挿入部（おねじ）２８とした。
【００３５】
また、サポート支柱２５は回動用のハンドル３５を有する。
【００３６】
サポート連結部３０は、上下左右の十字方向にネジ嵌合筒体（めねじ）２９を突設した。
【００３７】
連結用支柱３１は両端をネジ挿入部（おねじ）３２としたもので、途中をフランジによるボルト接合３６としている。
【００３８】
サポート連結部３０のネジ嵌合筒体（めねじ）２９に連結用支柱３１のネジ挿入部（おねじ）３２を螺合して、サポート連結部３０の４つを連結用支柱３１で４角に枠組み、枠組３３を形成する。（図３参照）
【００３９】
この枠組３３に対してサポート連結部３０の残りのネジ嵌合筒体２９にサポート支柱２５を嵌合し、支圧板２６をコンクリート函体４の相互接合部に内側から当接する。（図２参照）
【００４０】
かかる支圧板２６の押圧は、ハンドル３５によりサポート支柱２５の長さを調整することで行うことができる。図中３７は函体４の相互接合部の目地である。
【００４１】
図４は本発明の第２実施形態を示すもので、コンクリート函体４が比較的小口径の場合に使用する。
【００４２】
前記第１実施形態のサポート支柱２５を省略した形であり、全体が同一平面上になるもので、先端に支圧板２６を軸着し、根本部をネジ挿入部（おねじ）２８としたサポート支柱３０と、上下左右にネジ嵌合筒体２９を突設したサポート連結部３０との組み合わせからなり、サポート連結部３０のネジ嵌合筒体２９にサポート支柱２５を嵌合して支圧板２６を函体接合部に内側から当接する。
【００４３】
本実施形態では、支圧板２６は函体接合部目地部のライン上で、函体４の内側の側部・上部・底部を同一に支承する。
【００４４】
また、図５は本発明の第３実施形態を示すもので、前記第２実施形態と同じくコンクリート函体４が比較的小口径の場合に使用する。
【００４５】
前記第２実施形態が函体４の内側の側部・上部・底部を同一に支承するのに対して、函体４の内側のハンチ部４ｆを同一に支承するようにした。
【００４６】
次に本発明のサポートを使用するオープンシールド工法について説明する。
図６、図７に示すように、発進立坑内にこのオープンシールド機１を設置して、オープンシールド機１の推進ジャッキ３を伸長して発進坑内の反力壁に反力をとってオープンシールド機１を前進させ、地下構造物を形成する第１番目のコンクリート函体４をクレーン等の揚重機１４により上方から吊り降し、オープンシールド機１のテール部１ｂ内で縮めた推進ジャッキ３の後方にセットする。
【００４７】
ショベル等の掘削機７でオープンシールド機１の前面又は上面から土砂を掘削しかつ排土する。この排土工程と同時またはその後に推進ジャッキ３を伸長してオープンシールド機１を前進させる。
【００４８】
そして前記第１番目のコンクリート函体４の前に第２番目のコンクリート函体４をオープンシールド機１のテール部１ｂ内に吊り降す。以下、同様の排土工程、前進工程、コンクリート函体４のセット工程を適宜繰返して、順次コンクリート函体４をオープンシールド機１の前進に伴い縦列に地中に残置し、さらにこのコンクリート函体４の上面に埋戻しを施す。
【００４９】
コンクリート函体４の接続の際には、サポート３４で固定し、必要がなくなれば、これを撤去する。
【００５０】
このようにして、オープンシールド機１が到達坑まで達したならばこれを撤去して工事を完了する。
【符号の説明】
【００５１】
１…オープンシールド機            １ａ…フロント部
１ｂ…テール部                    ２…中折れ部
３…推進ジャッキ（シールドジャッキ）
４…コンクリート函体              ４ａ…左側板
４ｂ…右側板                      ４ｃ…上床板
４ｄ…下床板                      ４ｅ…内面
４ｆ…ハンチ部
５…底板                          ６…スライド土留板
７…掘削機                        ８…プレスバー（押角）
９…裏込注入材                    １０…定着部
１１…クッション材                １２…インサート（ボルト挿入孔）
１３…シール材                    １４…揚重機
１５…ガイドピン挿入孔            １６…サポート
１７…下柱                        １８…台板
１９…上柱                        ２０…受板
２１…めねじ                      ２２…止ボルト
２３…ピン
２５…サポート支柱                ２６…支圧板
２７…球体ヒンジ                  ２８…ネジ挿入部（おねじ）
２９…ネジ嵌合筒体（めねじ）      ３０…サポート連結部
３１…連結用支柱                  ３２…ネジ挿入部（おねじ）
３３…枠組                        ３４…サポート
３５…ハンドル                    ３６…ボルト接合
３７…目地
６６…蛇行防止用金具              ６６ａ…固定板
６６ｂ…連結板
【図１】
2019108676.tif 000003
【図２】
2019108676.tif 000004
【図３】
2019108676.tif 000005
【図４】
2019108676.tif 000006
【図５】
2019108676.tif 000007
【図６】
2019108676.tif 000008
【図７】
2019108676.tif 000009
【図８】
2019108676.tif 000010
【図９】
2019108676.tif 000011
【図１０】
2019108676.tif 000012
【図１１】
2019108676.tif 000013